(57)【要約】  【課題】簡単に装着できると共に装着状態の楽なガーターストッキングを提供する。  【解決手段】ガーターストッキング１０は、ストッキング本体２０の上端開口部２４に周方向の一部に延在して設置される、上端開口部２４の締め付けを補強するための締付補強弾性部材３３と、人体への装着時にストッキング本体２０を吊り上げるために、上端開口部２４の締付補強弾性部材３３の端部付近に根元側が接続された吊り上げ紐３５と、を備える【選択図】図１
2016169453.tif 000002
【特許請求の範囲】
【請求項１】
上端が開口されたストッキング本体を有するガーターストッキングにおいて、
前記ストッキング本体の上端開口部に周方向の一部に延在して設置される、前記上端開口部の締め付けを補強するための締付補強弾性部材と、
人体への装着時に前記ストッキング本体を吊り上げるために、前記上端開口部の前記締付補強弾性部材の端部付近に根元側が接続された吊り上げ紐と、
を備えることを特徴とするガーターストッキング。
【請求項２】
前記締付補強弾性部材は、前記上端開口部の両側に分かれて設置されており、前記締付補強弾性部材が設置される締付補強範囲が、両側合わせて全周の40〜85％の範囲であることを特徴とする請求項１記載のガーターストッキング。
【請求項３】
前記吊り上げ紐は、前側吊り上げ紐と、後側吊り上げ紐と、を有し、
前記前側吊り上げ紐は、根元側が二本の紐に分かれて、両側に設置された前記締付補強範囲のそれぞれの前側端部付近に、前記上端開口部の補強されていない部分を挟むように接続され、
前記後側吊り上げ紐は、根元側が二本の紐に分かれて、両側に設置された前記締付補強範囲のそれぞれの後側端部付近に、前記上端開口部の締付補強されない部分を挟むように接続されていることを特徴とする請求項１又は２記載のガーターストッキング。
【請求項４】
前記締付補強弾性部材は、ストッキング素材の布を丸めて作った高伸縮性のストッキング製紐であり、前記上端開口部に対して周方向になみ縫いされて設置されていることを特徴とする請求項１乃至３何れか１項記載のガーターストッキング。
【請求項５】
前記吊り上げ紐もストッキング製紐であり、
前記締付補強弾性部材及び前記吊り上げ紐は同じストッキング製紐から一繋がりに構成されていることを特徴とする請求項１乃至４何れか１項記載のガーターストッキング。
【請求項６】
前記吊り上げ紐と前記締付補強弾性部材との境界付近に設置された、前記ストッキング製紐の前記ストッキング本体に対する周方向のスライドを阻止するためのスライド阻止部材をさらに備えることを特徴とする請求項５記載のガーターストッキング。
【発明の詳細な説明】
【技術分野】
【０００１】
本発明は、脚に装着されるガーターストッキングに関する。
【背景技術】
【０００２】
従来から、種々のストッキングが提供されているが、ストッキングの一種として、パンティ部の存在しないレッグ部及びトウ部のみからなるガーターストッキングが提供されている。ガーターストッキングは、例えば、下記特許文献１，２に開示されている。
【０００３】
通常、ガーターストッキングは、ずり落ちないように、腰に装着されたガーターベルトによって吊り上げられた状態で人体に装着される。ガーターベルトによる吊り上げは、腰回りに装着されたベルト本体から吊り下がるガーター紐の先端にボストンを設け、このボストンでガーターストッキングの上端開口部を挟み込むことで行われる。
【０００４】
ここで、ガーターベルトによって吊り上げられるのは、上端開口部の数箇所だけであり、ガーターベルトの上端開口部が緩い場合には、上端開口部を均等に吊り上げることは難しく、またガーターベルトが外れたりしてガーターストッキングがずり落ちる場合もある。
【０００５】
このため、従来のガーターストッキングでは、ガーターストッキングの上端開口部の締付力を強化することが行われており、例えば、下記特許文献２では、着用時のずれ落ち防止のために、上端開口部分にゴム糸を編み込んだニットインガーターを設けている。
【先行技術文献】
【特許文献】
【０００６】
【特許文献１】登録実用新案第３１６１９２５号公報
【特許文献２】実公平６−３４３２２号公報
【発明の概要】
【発明が解決しようとする課題】
【０００７】
ガーターストッキングの装着にあたって、ボストンでガーターストッキングを挟み込む作業は、細かな作業となるため、手先の不器用な人にとっては綺麗に取り付けるのが難しい。また、脚の後側（裏側）に位置するガーターストッキングの上端開口部にボストンを取り付ける作業は特に難しいため、通常は、脚の前側や横側の位置でボストンを取り付けるようにしているが、これでは吊り上げのバランスが良くない。
【０００８】
また、ガーターストッキングの上端開口部を締め付けすぎると、装着者が痛み等の苦痛を感じたり、太股部分の血流に悪影響を与えたりする可能性もある。
【０００９】
本発明は、このような課題に鑑みてなされたものであり、簡単に装着できると共に装着状態の楽なガーターストッキングを提供することを目的とする。
【課題を解決するための手段】
【００１０】
上記課題を解決するための本発明に係るガーターストッキングは、上端が開口されたストッキング本体を有するガーターストッキングにおいて、前記ストッキング本体の上端開口部に周方向の一部に延在して設置される、前記上端開口部の締め付けを補強するための締付補強弾性部材と、人体への装着時に前記ストッキング本体を吊り上げるために、前記上端開口部の前記締付補強弾性部材の端部付近に根元側が接続された吊り上げ紐と、を備えることを特徴とする。
【発明の効果】
【００１１】
本発明に係るガーターストッキングによれば、人体への装着を簡単に行うことができると共に、装着状態も楽である。
【図面の簡単な説明】
【００１２】
【図１】図１は、本発明の第一実施形態に係るガーターストッキングの斜視図である。
【図２】図２は、本発明の第一実施形態に係るガーターストッキングの上部拡大斜視図である。
【図３】図３は、本発明の第一実施形態に係るガーターストッキングの装着状態を示す図である。
【図４】図４は、本発明の第一実施形態の変形例１に係るガーターストッキングの上部拡大斜視図である。
【図５】図５は、本発明の第二実施形態に係るガーターストッキングの斜視図である。
【図６】図６は、本発明の第二実施形態に係るガーターストッキングの上部拡大斜視図である。
【図７】図７は、本発明の第三実施形態に係るガーターストッキングの斜視図である。
【図８】図８は、本発明の第三実施形態に係るガーターストッキングの装着状態を示す図である。
【図９】図９は、本発明の第三実施形態に係るガーターストッキングの装着状態を示す図である。
【図１０】図１０は、本発明の第三実施形態に係るガーターストッキングの装着状態を示す図である。
【図１１】図１１は、本発明の第四実施形態に係るガーターストッキングの斜視図である。
【図１２】図１２は、本発明の第四実施形態に係るガーターストッキングの上部拡大斜視図である。
【発明を実施するための形態】
【００１３】
（第一実施形態）
まず、図面を参照しながら本発明の第一実施形態に係るガーターストッキングについて説明する。なお、本実施形態に係るガーターストッキングは、左脚用も右脚用も同じ構成である。
【００１４】
図１は、第一実施形態に係るガーターストッキングの斜視図である。図２は、第一実施形態に係るガーターストッキングの上部拡大斜視図である。図３は、第一実施形態に係るガーターストッキングの装着状態を示す図である。なお、図１及び図２において、図中手前側が人体への装着時に人体の前側になる。
【００１５】
ガーターストッキング１０は、上端が開口されたストッキング本体２０と、ストッキング本体２０の開口の締め付けを補強するための締付補強弾性部材３３と、ストッキング本体２０を吊り上げるための吊り上げ紐３５とを備えている。本実施形態では締付補強弾性部材３３と吊り上げ紐３５とは、同じストッキング製紐３０から一繋がりに構成されている。
【００１６】
ストッキング本体２０は、パンティ部分のない片脚用のストッキングであり、レッグ部２３と、トウ部２７とを備える。レッグ部２３の上端開口部２４は、補強のため外側に折り返されていると共に、なみ縫い（ぐし縫い）で縫い込まれるストッキング製紐３０を通すための紐穴２５が両側に分かれて所定の間隔で形成されている。
【００１７】
ストッキング製紐３０は、ストッキング素材の布を丸めて作った高伸縮性の紐（本実施形態では伸縮率2.5倍）であり、上端開口部２４の周方向の弾性力よりも高い弾性力を有している。また、ストッキング製紐３０は、二本の紐（第一の紐３１、第二の紐３２）を所定の箇所で連結して構成されている。第一の紐３１は、上端開口部２４の一方の片側（図２において左側）を半周しながら前側から後側へと延在し、第二の紐３２は上端開口部２４の他方の片側（図２において右側）を半周しながら前側から後側へと延在している。
【００１８】
第一の紐３１は、ストッキング本体２０の前側（図２において手前側）に長く飛び出し、第二の紐３２は、ストッキング本体２０の後側（図２において奥側）に長く飛び出している。第一の紐３１のストッキング本体２０の後側に短く飛び出した部分は、第二の紐３２のストッキング本体２０の後側に長く飛び出した部分の途中部分に固定され、第二の紐３２のストッキング本体２０の前側に短く飛び出した部分は、第一の紐３１のストッキング本体２０の前側に長く飛び出した部分の途中部分に固定される。
【００１９】
ストッキング製紐３０の上端開口部２４の両側に周方向に延在して設置される部分は、複数の紐穴２５を外側から内側、内側から外側へと通過して、上端開口部２４をなみ縫い（ぐし縫い）しており、上端開口部２４を閉めるように締め付ける締付補強弾性部材３３として機能している。よって、ストッキング本体２０が脚に装着された際、締付補強弾性部材３３は、ストッキング本体２０が下方にずり落ちないように、上端開口部２４における太腿への締め付けをより強く補強することができる。
【００２０】
ここで、上端開口部２４の紐穴２５は、上端開口部２４の全周（360°）にわたって形成されているのではなく、左右の片側（180°）においてそれぞれ略半分（90°）の部分に形成されているだけである。よって、ストッキング製紐３０が上端開口部２４に縫い込まれているのは、全周の略半分の領域であり、締付補強弾性部材３３が設置されている締付補強範囲は、左右合わせて上端開口部２４の周方向全体に対して略半分の長さの部分である。
【００２１】
締付補強弾性部材３３を上端開口部２４の全周に設置して、装着時に上端開口部２４の全周において締め付けを補強すると、装着者の太股が全周にわたって締め付けられるため、装着者がきつく締め付けられることによる痛みを感じたり、血流が悪くなるといった問題が生じうる。
【００２２】
これに対して、締付補強弾性部材３３を上端開口部２４の周方向の一部だけに設置し、上端開口部２４において締め付けが補強されない部分を設けることで、装着者が楽にガーターストッキング１０を装着することができると共に、ストッキング本体２０のずり落ちを防止することもできる。
【００２３】
もちろん、上端開口部２４における締付補強弾性部材３３を設置する締付補強範囲は、適宜変更可能である。ストッキング本体２０のずり落ちを防止しつつ、装着者がある程度楽に装着できるためには、上端開口部２４の周方向において全周の40〜85％の部分に締付補強弾性部材３３を設置する、すなわち、締付補強範囲を40〜85％とするのが望ましい。
【００２４】
次に、ストッキング製紐３０の締付補強弾性部材３３以外の部分、すなわち、ストッキング製紐３０のストッキング本体２０から飛び出した部分は、ストッキング本体２０を吊り上げるための吊り上げ紐３５として機能する。
【００２５】
吊り上げ紐３５は、装着者の前側でストッキング本体２０を吊り上げる前側吊り上げ紐３６と、装着者の後側でストッキング本体２０を吊り上げる後側吊り上げ紐３７とを備えており、ストッキング製紐３０のストッキング本体２０の前側に飛び出した部分が前側吊り上げ紐３６、ストッキング本体２０の後側に飛び出した部分が後側吊り上げ紐３７である。
【００２６】
上述したように、ストッキング製紐３０は、二本の紐（第一の紐３１、第二の紐３２）から構成されており、前側吊り上げ紐３６及び後側吊り上げ紐３７は、根元側は二本の紐に分かれ、先端側は一本の紐となるように構成されている。また、本実施形態では、締付補強弾性部材３３と吊り上げ紐３５とは、同じストッキング製紐３０から一繋がりに構成されている。
【００２７】
前側吊り上げ紐３６の根元側の二本の紐は、左右両側に設置された締付補強弾性部材３３それぞれの前側端部（左右の締付補強範囲の前側端部）に、上端開口部２４の締付補強されない部分を挟むように接続されている。同じく、後側吊り上げ紐３７の根元側の二本の紐は、左右両側に設置された締付補強弾性部材３３それぞれの後側端部（左右の締付補強範囲の後側端部）に、上端開口部２４の締付補強されない部分を挟むように接続されている。
【００２８】
このように、締付補強弾性部材３３と吊り上げ紐３５とを同じストッキング製紐３０から一繋がりに構成しておくと、ストッキング製紐３０をストッキング本体２０に対してスライドさせるだけで、締付補強弾性部材３３として機能する部分の長さを自在に調整し、締付補強弾性部材３３の締付力を容易に調整することが可能となる。
【００２９】
また、前側吊り上げ紐３６及び後側吊り上げ紐３７の根元側が二本の紐に分かれ、それぞれ二点でストッキング本体２０と接続されるため、ストッキング本体２０を吊り上げる際に前後二点ずつ、合計四点で吊り上げることとなるため、バランス良く綺麗に吊り上げることができる。
【００３０】
以上、ガーターストッキング１０の構成について説明したが、続いて、ガーターストッキング１０の装着状態について、図３を参照しながら説明する。図３では、装着者の両脚にそれぞれガーターストッキング１０を装着した状態を示している。
【００３１】
同図に示すように、ガーターストッキング１０を人体に装着する際には、人体の腰回りに腰回り紐５を装着し、この腰回り紐５に吊り上げ紐３５（前側吊り上げ紐３６、後側吊り上げ紐３７）を結びつけて固定し、吊り下げることで、ストッキング本体２０がずり落ちないように、しっかりと人体に装着することができる。
【００３２】
以上、第一実施形態について詳細に説明したが、本実施形態によれば、ストッキング製紐３０の締付補強弾性部材３３によりストッキング本体２０の上端開口部２４における締め付けを部分的に補強することで、装着者がガーターストッキング１０を楽に装着したまま、ストッキング本体２０のずり落ちを防止することができる。
【００３３】
また、従来のガーターストッキングであれば、装着の際に、ガーターベルトの紐の先端ボストンをガーターストッキングの上端に取り付ける作業が必要であり、特に後側の取り付けは困難であったが、本実施形態においては、最初から吊り上げ紐３５がストッキング本体２０の上端開口部２４に接続されており、ガーターストッキング１０の装着作業を簡単に行うことができる。
【００３４】
続いて、第一実施形態の変形例１について、図４を参照しながら説明する。図４は、第一実施形態の変形例１に係るガーターストッキングの上部拡大斜視図である。上記第一実施形態では、吊り上げ紐３５が前側吊り上げ紐３６と後側吊り上げ紐３７とを備えていたが、変形例１に係るガーターストッキング１１は、吊り上げ紐４５は後側吊り上げ紐４７のみを備えている点で異なる。
【００３５】
したがって、変形例１については、主に第一実施形態と異なる構成について説明し、共通の構成については同じ番号を付し、説明を省略する。ストッキング製紐４０は、一本の長尺の紐から構成されており、上端開口部２４において略4分の3周する部分が締付補強弾性部材４３として機能する。また、ストッキング製紐４０のストッキング本体２０の後側に突出した部分が、二本から一本に連結されて後側吊り上げ紐４７として機能する。
【００３６】
本変形例１においても上記第一実施形態と同様の作用効果を奏する。また、本変形例１では、一本の吊り上げ紐４５を後側吊り上げ紐４７としたが、そのままの構成で前側吊り上げ紐４６としても使用できる。また、本変形例１に係るガーターストッキング１１は、人体に装着したガーターベルトのボストンによって吊り上げた上で、補助的に吊り上げ紐４５を使用するようにしても良く、このようにすれば、より確実な装着が可能となる。
【００３７】
（第二実施形態）
続いて、本発明の第二実施形態について説明する。図５は、第二実施形態に係るガーターストッキングの斜視図である。図６は、第二実施形態に係るガーターストッキングの上部拡大斜視図である。
【００３８】
第一実施形態では、締付補強弾性部材３３をストッキング製紐３０から構成したが、第二実施形態では、締付補強弾性部材６３が平ゴム紐片から構成したことを特徴としている。よって、ここでは、主として第一実施形態と異なる構成について説明し、同様の構成については同じ名称を付して説明を省略する。
【００３９】
ガーターストッキング１２は、ストッキング本体５０と、ストッキング本体５０の開口の締め付けを補強するための締付補強弾性部材６３と、ストッキング本体５０を吊り上げるためのストッキング製吊り上げ紐６５とを備えている。
【００４０】
平ゴム紐片である締付補強弾性部材６３は、ストッキング本体５０の上端開口部５４の内周面に貼付されている。締付補強弾性部材６３の設置場所は、第一実施形態の締付補強弾性部材３３と同様に、左右両側に分かれて二箇所であり、左右合わせて上端開口部５４の周方向全周の略半分の長さの部分に設置されている。
【００４１】
また、締付補強弾性部材６３が上端開口部５４に貼り付けられて設置されるため、上端開口部５４には紐穴は形成されていない。ストッキング製吊り上げ紐６５は、前側吊り上げ紐６６と後側吊り上げ紐６７とから構成され、第二実施形態では、前側吊り上げ紐６６と後側吊り上げ紐６７とは完全に別体の紐である。
【００４２】
前側吊り上げ紐６６と後側吊り上げ紐６７の根元側の端部は、第一実施形態と同様に二本の紐に分かれ、ストッキング本体５０の上端開口部５４の前側部分と後側部分においてそれぞれ二箇所に縫い付けて固定されている。
【００４３】
前側吊り上げ紐６６の根元側の二本の紐は、左右両側に設置された締付補強部材６３それぞれの前側端部（左右の締付補強範囲の前側端部）付近に、上端開口部５４の締付補強されない部分を挟むように接続されている。同じく、後側吊り上げ紐６７の根元側の二本の紐は、左右両側に設置された締付補強弾性部材６３それぞれの後側端部（左右の締付補強範囲の後側端部）付近に、上端開口部５４の締付補強されない部分を挟むように接続されている。
【００４４】
このような構成のガーターストッキング１２の装着時には、前側吊り上げ紐６６と後側吊り上げ紐６７の先端側を腰回り紐５に結びつけて固定することで、ストッキング本体５０がずり下がらないように装着することができる。第二実施形態によれば、上記第一実施形態と同様の作用効果を奏する。
【００４５】
（第三実施形態）
続いて、本発明の第三実施形態について説明する。図７は、第三実施形態に係るガーターストッキングの斜視図である。図８〜図１０は、第三実施形態に係るガーターストッキングの第一〜第三の装着状態を示す図である。
【００４６】
本実施形態に係るガーターストッキング１３は、吊り上げ紐７５が長いのを特徴とし、第一実施形態のように装着時に吊り上げ紐７５を腰回り紐５に結びつけるのではなく、吊り上げ紐７５を直接人体に対して装着固定する構成であることを特徴とする。よって、ここでは、主として第一実施形態と異なる構成について説明し、共通の構成については同じ番号を付して説明を省略する。
【００４７】
吊り上げ紐７５は、前側吊り上げ紐７６と、後側吊り上げ紐７７とから構成される。第一実施形態では、前側吊り上げ紐３６と後側吊り上げ紐３７とは先端に向けて一本にまとめられていたが、第三実施形態では、前側吊り上げ紐７６及び後側吊り上げ紐７７は、根元側で分かれている二本の紐がいったん交差した後、再度先端に向けて二本に分かれたままの構成となっている。
【００４８】
すなわち、前側吊り上げ紐７６は、長尺の第一前側吊り上げ紐７６ａと短尺の第二前側吊り上げ紐７６ｂとを備える。第一前側吊り上げ紐７６ａ及び第二前側吊り上げ紐７６ｂは、根元側が所定の間隔を空けてストッキング本体２０の上端開口部２４の前側部分（左右の締付補強範囲の前側端部）に接続され、先端側に向けて交差部７６ｃで交差したあと、再度二本の紐に分かれている。
【００４９】
後側吊り上げ紐７７も前側吊り上げ紐７６と同様の構成を有しており、交差部７７ｃで交差する長尺の第一後側吊り上げ紐７７ａと短尺の第二後側吊り上げ紐７７ｂとを備えている。本実施形態では、長尺の第一吊り上げ紐７６ａ，７７ａの長さが35cmであり、短尺の第二吊り上げ紐７６ｂ，７７ｂの長さが17cmである。
【００５０】
続いて、ガーターストッキング１３の装着状態について説明する。図８は、ガーターストッキング１３の第一の装着状態を示す図である。第一の装着状態では、左右両脚において、前側吊り上げ紐７６の二本の紐７６ａ，７６ｂを両側から腰回りに回した周回状態で先端同士を結び付けて腰部分に装着する。また、左右両脚において、後側吊り上げ紐７７の二本の紐７７ａ，７７ｂを両側からそれぞれの太股回りに回した周回状態で先端同士を結び付けて太股部分に装着している。
【００５１】
よって、第一の装着状態によれば、装着者の前方から見た場合には、ストッキング製紐７０が装着者の前面において三箇所でＸ状にクロスした状態となっており、デザイン的に優れた印象を与えることができる。
【００５２】
図９は、ガーターストッキング１３の第二の装着状態を示す図である。第二の装着状態では、左右両脚において、前側吊り上げ紐７６の二本の紐７６ａ，７６ｂを両側から腰回りに回した周回状態で先端同士を結び付けて腰部分に装着する。また、左右両脚において、後側吊り上げ紐７７の二本の紐７７ａ，７７ｂも両側から腰回りに回した周回状態で先端同士を結び付けて腰部分に装着している。
【００５３】
よって、第二の装着状態によれば、装着者の前方から見た場合には、ストッキング紐７０が装着者の全面において八箇所でＸ状にクロスすると共に、後方から見た場合には、四箇所でクロスした状態となっており、亀甲縛りのようにも見え、より優れたデザイン的な印象を与えることができる。
【００５４】
図１０は、ガーターストッキング１３の第三の装着状態を示す図である。第三の装着状態では、左右両脚において、長尺の第一前側吊り上げ紐７６ａと第一後側吊り上げ紐７７ａとを前後から肩回りに回した状態で先端同士を結び付けて肩部分に吊り下げ装着する。また、左右両脚において、短尺の第二前側吊り上げ紐７６ｂと第二後側吊り上げ紐７７ｂとをそれぞれ太股回りに回した周回状態で先端同士を結び付けて太股部分に装着している。
【００５５】
よって、第三の装着状態によれば、ストッキング本体２０を肩回りで吊り下げる状態となるため、ストッキング本体２０のずり下がりを確実に防止し、しっかりと安定してガーターストッキング１３を装着することができる。
【００５６】
もちろん、ガーターストッキング１３の装着態様は、上記構成以外に適宜所望の装着方法を採用することができる。以上、第三実施形態に係るガーターストッキング１３によれば、第一実施形態と同様の作用効果を奏すると共に、前側吊り上げ紐７６及び後側吊り上げ紐７７が長尺で先端側が二本に分かれているので、人体への装着方法の自由度が高まり、装着者が適宜所望の装着方法を採用することが可能となる。
【００５７】
（第四実施形態）
続いて、本発明の第四実施形態について説明する。図１１は、第四実施形態に係るガーターストッキングの斜視図である。図１２は、第四実施形態に係るガーターストッキングの上部拡大斜視図である。
【００５８】
本実施形態に係るガーターストッキング１４は、上述した第三実施形態の構成に加えて、ストッキング製紐８０の締付補強弾性部材８３として機能する部分（締付補強範囲）の両端四箇所に、ストッキング製紐８０のストッキング本体２０に対するスライドを阻止するためのスライド阻止紐８４を設置したことを特徴とする。よって、ここでは、主として第三実施形態と異なる構成について説明し、同様の構成については同じ名称を付して説明を省略する。
【００５９】
スライド阻止部材であるスライド阻止紐８４は、2cm程度の短い紐であり、ひと結びでストッキング製紐８０に結び付けられて固定されると、紐穴２５を通過できなくなる。なお、スライド阻止紐８４もストッキング製の紐であるため、強く引っ張れば、スライド阻止紐８４の位置を動かすことも可能である。
【００６０】
スライド阻止紐８４の設置位置は、ストッキング製紐８０の締付補強弾性部材８３の両端付近であり、具体的には、締付補強弾性部材８３が装着時に所望の締付補強力を発揮する長さとなるような位置に設置する。
【００６１】
スライド阻止紐８４は、締付補強範囲の両端に位置する紐穴２５の内側においてストッキング製紐８０に設置することで、ストッキング製紐８０が外側に引っ張られて、締付補強弾性部材８３が所定の長さ以下とならないように制限することができる。
【００６２】
よって、吊り上げ紐８５を強く引っ張った際に、締付補強弾性部材８３が短くなりすぎて、装着者の太股が締め付けられ過ぎるといったことを防止することができる。なお、スライド阻止部材は、紐状部材に限られるものではなく、ストッキング製紐８０に対して位置を固定でき、紐穴２５を通過できない部材であれば、ピンやリング等でも良い。
【００６３】
以上、第四実施形態によれば、上記第三実施形態と同様の作用効果を奏すると共に、スライド阻止紐８４を設置することで、装着時にストッキング本体２０の上端開口部２４が締め付けられ過ぎるのを防止することができる。
【００６４】
以上、本発明の第一〜第四実施形態について説明したが、本発明の実施の形態は上記実施形態に限定されるものではなく、本発明の主旨を逸脱しない範囲内で種々の変形が可能である。例えば、ガーターストッキングを構成する部材のサイズや形状等は適宜変更可能である。
【符号の説明】
【００６５】
５                            腰回り紐
１０，１１，１２，１３，１４  ガーターストッキング
２０，５０                    ストッキング本体
２３，５３                    レッグ部
２４，５４                    上端開口部
２５                          紐穴
２７，５７                    トウ部
３０，４０，７０，８０        ストッキング製紐
３１                          第一の紐
３２                          第二の紐
３３，４３，６３，７３，８３  締付補強弾性部材
３５，４５，６５，７５，８５  吊り上げ紐
３６，６６，７６，８６        前側吊り上げ紐
３７，４７，６７，７７，８７  後側吊り上げ紐
８４                          スライド阻止紐
【図１】
2016169453.tif 000003
【図２】
2016169453.tif 000004
【図３】
2016169453.tif 000005
【図４】
2016169453.tif 000006
【図５】
2016169453.tif 000007
【図６】
2016169453.tif 000008
【図７】
2016169453.tif 000009
【図８】
2016169453.tif 000010
【図９】
2016169453.tif 000011
【図１０】
2016169453.tif 000012
【図１１】
2016169453.tif 000013
【図１２】
2016169453.tif 000014